(57)【要約】  多孔性電極材料と、多孔性電極材料を取り囲むフレームと、多孔性電極材料に埋め込まれた少なくとも分配管であって、多孔性電極材料に電解液を供給するための入口を有する少なくとも分配管と、多孔性電極材料に埋め込まれた少なくとも別の分配管であって、多孔性材料から電解液を放出するための出口を有する少なくとも別の分配管とを含む、フロー電池のための電極組立体が開示される。分配管の壁は、電極材料内の電解液の均一な分散を可能にするために穴または細孔が設けられていることが好ましい。分配管は、電池スタックのフローセル間に流れるシャント電流を最小限に抑えるために、電極材料内に必要な電解液流路長を提供する。【選択図】図２Ｃ
2018538666.tif 000002
【特許請求の範囲】
【請求項１】
−  多孔性電極材料と、
−  前記多孔性電極材料を取り囲むフレームと、
−  前記多孔性電極材料に埋め込まれた少なくとも第１の分配管であって、前記多孔性電極材料に電解液を供給するための入口を有する第１の分配管と、
−  前記多孔性電極材料に埋め込まれた少なくとも第２の分配管であって、前記多孔性電極材料から電解液を放出するための出口を有する第２の分配管と
を含む、フロー電池のための電極組立体において、
前記フレームおよび前記分配管が電気的に非伝導性のプラスチック材料でできていることを特徴とする電極組立体。
【請求項２】
請求項１に記載の電極組立体において、前記第１の分配管および前記第２の分配管が、前記フレームの第１の側と前記フレームの第２の側との間に、前記フレームの前記２つの側間の中間点を越えて延在していることを特徴とする電極組立体。
【請求項３】
請求項１に記載の電極組立体において、前記第１の分配管が、前記フレームに密閉された出口を有し、および前記第２の分配管が、前記フレームに密閉された入口を有し、前記第１の分配管および前記第２の分配管が、内部流路と、前記内部流路を取り囲む壁とをそれぞれ有する空管であり、前記空管の前記壁が、穴が設けられた固体材料でできており、電解液の流れが前記分配管の前記壁を通って前記多孔性電極材料中へ入ることを可能にすることを特徴とする電極組立体。
【請求項４】
請求項１に記載の電極組立体において、前記第１の分配管が、前記フレームに密閉された出口を有し、および前記第２の分配管が、前記フレームに密閉された入口を有し、前記第１の分配管および前記第２の分配管が、内部流路と、前記内部流路を取り囲む壁とをそれぞれ有する空管であり、前記空管の前記壁が多孔性材料でできており、電解液の流れが前記分配管の前記壁を通って前記多孔性電極材料中へ入ることを可能にすることを特徴とする電極組立体。
【請求項５】
請求項１に記載の電極組立体において、前記第１の分配管が、前記多孔性電極材料に開放された出口を有し、および前記第２の分配管が、前記多孔性電極材料に開放された入口を有することを特徴とする電極組立体。
【請求項６】
請求項５に記載の電極組立体において、前記第１の分配管および前記第２の分配管が、内部流路と、前記内部流路を取り囲む壁とをそれぞれ有する空管であり、前記空管の少なくとも１つの前記壁が固体材料でできていることを特徴とする電極組立体。
【請求項７】
請求項５に記載の電極組立体において、前記第１の分配管および前記第２の分配管が、内部流路と、前記内部流路を取り囲む壁とを有する空管であり、前記空管の少なくとも１つの前記壁が、前記多孔性電極材料内の電解液の分散を可能にするために多孔性材料でできていることを特徴とする電極組立体。
【請求項８】
請求項５に記載の電極組立体において、前記第１の分配管および前記第２の分配管が、内部流路と、前記内部流路を取り囲む壁とをそれぞれ有する空管であり、各空管の前記壁が、前記多孔性電極材料内の電解液の分散を可能にするために、少なくとも１つの穴が設けられた固体材料でできていることを特徴とする電極組立体。
【請求項９】
請求項１に記載の電極組立体において、第１の分配管および前記第２の分配管が、内部流路と、前記内部流路を取り囲む壁とをそれぞれ有する空管であり、前記第１の分配管または前記第２の分配管の少なくとも１つの前記内部流路が、前記壁の空孔率よりも高い空孔率を有する多孔性材料でできていることを特徴とする電極組立体。
【請求項１０】
請求項１に記載の電極組立体において、前記第１の分配管または前記第２の分配管の少なくとも１つが円形の断面を有することを特徴とする電極組立体。
【請求項１１】
請求項１に記載の電極組立体において、前記第１の分配管または前記第２の分配管の少なくとも１つが三角形の断面を有することを特徴とする電極組立体。
【請求項１２】
請求項１に記載の電極組立体において、前記第１の分配管または前記第２の分配管の少なくとも１つが前記多孔性電極材料内に完全に埋め込まれていることを特徴とする電極組立体。
【請求項１３】
請求項１に記載の電極組立体において、前記第１の分配管または前記第２の分配管の少なくとも１つが前記多孔性電極材料に部分的に埋め込まれていることを特徴とする電極組立体。
【請求項１４】
請求項１に記載の電極組立体において、前記第１の分配管または前記第２の分配管の少なくとも１つが、Ｓ字曲線形状を有する空管であり、および前記空管の壁が、前記多孔性電極材料内の電解液の分散を可能にするために、少なくとも１つの穴が設けられた固体材料でできていることを特徴とする電極組立体。
【請求項１５】
請求項１に記載の電極組立体において、前記第１の分配管または前記第２の分配管の少なくとも１つが、Ｓ字曲線形状を有する空管であり、および前記空管の壁が、前記多孔性電極材料内の電解液の分散を可能にするために多孔性材料でできていることを特徴とする電極組立体。
【請求項１６】
請求項１に記載の電極組立体において、前記多孔性電極材料の領域にわたって均一に分配されている複数の第１の分配管および第２の分配管を含むことを特徴とする電極組立体。
【請求項１７】
請求項１に記載の電極組立体において、断面流量面積が等しい複数の第１の分配管および第２の分配管を含むことを特徴とする電極組立体。
【請求項１８】
請求項１に記載の電極組立体において、前記第１の分配管の長さが前記第２の分配管の長さと等しいことを特徴とする電極組立体。
【請求項１９】
請求項１に記載の電極組立体において、前記第１の分配管および前記第２の分配管がポリエチレンまたはポリプロピレンでできていることを特徴とする電極組立体。
【請求項２０】
−  負電極組立体および正電極組立体と、
−  前記正電極組立体と前記負電極組立体とを分離するセパレータと、
−  第１の双極板および第２の双極板であって、各双極板がそれぞれの電極組立体に隣接している、第１の双極板および第２の双極板と
を含む、少なくとも１つのフローセルを含むフロー電池において、
前記負電極組立体または前記正電極組立体の少なくとも１つが、請求項１に記載の電極組立体であることを特徴とするフロー電池。
【請求項２１】
双極板によって分離されたフローセルのスタックを含むフロー電池において、各フローセルが、セパレータによって分離された正電極組立体および負電極組立体を含み、各電極組立体が、フレームによって取り囲まれた多孔性電極材料を有し、前記フローセルのスタックが、２つのエンドプレートが設けられた円筒状のプラスチック外殻に封入され、前記フローセルのスタックが前記円筒状のプラスチック外殻の内壁に接続され、前記円筒状のプラスチック外殻および前記２つのエンドプレートが電気的に非伝導性の材料でできており、および前記円筒状のプラスチック外殻が前記フローセルを半径方向に圧縮し、かつ前記２つのエンドプレートが前記フローセルを軸方向に圧縮することを特徴とするフロー電池。
【請求項２２】
請求項２１に記載のフロー電池において、前記円筒状のプラスチック外殻の前記材料および前記エンドプレートの前記材料が、前記フレームの材料とほぼ同じ熱膨張係数を有することを特徴とするフロー電池。
【請求項２３】
請求項２２に記載のフロー電池において、前記フレーム、前記円筒状のプラスチック外殻、および前記エンドプレートの前記材料がポリエチレンまたはポリプロピレンであることを特徴とするフロー電池。
【請求項２４】
請求項２１に記載のフロー電池において、前記フローセルのスタックが、長方形の外部形状であって、その角が前記円筒状のプラスチック外殻の内部表面と接続している長方形の外部形状を有して、前記スタックと前記円筒状のプラスチック外殻との間に４つの区画を生成していることを特徴とするフロー電池。
【請求項２５】
請求項２４に記載のフロー電池において、前記スタックの前記角が封止材を通して前記円筒状のプラスチック外殻の前記内壁に接続されて、前記スタックと前記円筒状のプラスチック外殻との間に、４つの密閉された区画であって、それを通して正極電解液および負極電解液を流すための４つの密閉された区画を生成していることを特徴とするフロー電池。
【請求項２６】
請求項１に記載の電極組立体を有するフローセルのスタックを含むフロー電池において、前記フローセルのスタックが、２つのエンドプレートが設けられた円筒状のプラスチック外殻に封入されており、前記円筒状のプラスチック外殻および前記２つのエンドプレートが電気的に非伝導性の材料でできており、および前記フローセルを一緒に保持しかつそれらを半径方向および軸方向に圧縮していることを特徴とするフロー電池。
【請求項２７】
請求項２６に記載のフロー電池において、前記円筒状のプラスチック外殻の前記材料および前記エンドプレートの前記材料が、前記フレームの材料とほぼ同じ熱膨張係数を有することを特徴とするフロー電池。
【請求項２８】
請求項２６に記載のフロー電池において、前記フローセルのスタックが、長方形の外部形状であって、その角が前記円筒状のプラスチック外殻の内部表面と接続している長方形の外部形状を有して、前記スタックと前記円筒状のプラスチック外殻との間に４つの区画を生成していることを特徴とするフロー電池。
【請求項２９】
請求項２６に記載のフロー電池において、前記スタックの角が封止材を通して前記円筒状のプラスチック外殻の内部表面に接続されて、前記スタックと前記円筒状のプラスチック外殻との間に４つの密閉された区画を生成しており、２つの区画が、それを通して正極電解液を流すためのものであり、および２つの別の区画が、それを通して負極電解液を流すためのものであることを特徴とするフロー電池。
【請求項３０】
フロー電池のための電極組立体を製造する方法において、
−  フレーム内に多孔性電極材料を配置するステップと、
−  前記多孔性電極材料を取り囲む前記フレームに設けられた穴を通してかつ前記多孔性電極材料中へ位置決め針を挿入するステップと、
−  前記多孔性電極材料内に前記位置決め針を挿入することにより、前記フレームに設けられた前記穴を通して、かつ前記多孔性電極材料に設けられた穴を通して分配管を摺動させて、それにより前記多孔性材料内にかつ前記フレームに対して前記分配管を位置決めするステップと、
−  前記フレームの前記穴内に前記分配管を密閉するステップと
を含むことを特徴とする方法。
【請求項３１】
請求項３０に記載の方法において、少なくとも１つの分配管の端部を密閉して、その入口または出口を通って電解液が流れることを防ぐステップをさらに含むことを特徴とする方法。
【請求項３２】
フロー電池のための電極組立体を製造する方法において、
ａ．少なくとも１つの分配管を電極フレームに固定するステップと、
ｂ．前記分配管にわたり、前記電極フレームに隣接して多孔性電極材料を配置するステップと、
ｃ．前記電極フレーム、前記分配管、および前記多孔性電極材料を圧縮して、前記多孔性電極材料内に前記分配管を少なくとも部分的に埋め込むステップと
を含むことを特徴とする方法。
【請求項３３】
フロー電池スタックを製造する方法において、
ａ．少なくとも１つの分配管を電極フレームに固定するステップと、
ｂ．分配管を有する電極フレーム、電極材料、セパレータ、別の電極材料、分配管を有する別の電極フレームを重ねて連続的に配置するステップと、
ｃ．前記スタック内のフローセルが所望の数に達するまで前記ステップａ）およびｂ）を繰り返すステップと、
ｄ．ステップａ）〜ｃ）において形成された構成要素のスタックを圧縮して、前記多孔性電極材料内に前記分配管を少なくとも部分的に埋め込むステップと
を含むことを特徴とする方法。
【請求項３４】
請求項３３に記載の方法において、少なくとも１つの分配管の端部を密閉して、その入口または出口を通って電解液が流れることを防ぐステップをさらに含むことを特徴とする方法。
【請求項３５】
請求項２１に記載のフロー電池を作る方法において、
ａ．前記円筒状のプラスチック外殻および前記２つのエンドプレートを設けるステップと、
ｂ．前記フローセルが前記円筒状のプラスチック外殻の前記内壁に接続され、および前記円筒状のプラスチック外殻が前記フローセルを半径方向に圧縮するように、前記円筒状のプラスチック外殻内に前記フローセルのスタックを配置するステップと、
ｃ．前記２つのエンドプレート間で前記フローセルのスタックを軸方向に圧縮するステップと
を含むことを特徴とする方法。
【発明の詳細な説明】
【技術分野】
【０００１】
本発明は、電極材料内の電解液の分散の改善を可能にする構造を有する、フロー電池のための電極組立体、およびこのような電極組立体を含むフロー電池に関する。
【背景技術】
【０００２】
レドックスフロー電池としても知られているフロー電池は、電気エネルギーを貯蔵可能な化学エネルギーに変換し、次に、需要があるときに放出される電気エネルギーに変換することができる。
【０００３】
フロー電池は、可逆的な電気−化学反応に関与する液体電解質を使用することにより、他の電気化学的装置、例えば、燃料電池と区別される。燃料電池は、気体燃料を用いてエネルギーを生成するがエネルギーを貯蔵せず、一方、フロー電池は、エネルギーを生成しないがエネルギーを貯蔵し、放出する。これが燃料電池とフロー電池との間の基本的な違いである。しかし、これらの２つのタイプの電気化学セル間には他にも多くの違いがある。それらのいくつかについて本明細書でさらに説明する。
【０００４】
図１に参照番号１０によって図示されているような基本的なフロー電池は、負電極１２および正電極１４がセパレータ１６によって分離されたレドックスフローセル１１を含む。負極液体電解質１７は、貯槽１８から負電極に送達され、正極液体電解質１９が貯槽２０から正電極に送達され、電気化学的に可逆的なレドックス反応を駆動する。セパレータは、微多孔性セパレータまたはイオン交換膜とすることができる。また、セパレータは、電極を分離し、電解液の混合を防ぐが、選択されたイオンを通過させてレドックス反応を完了する。示されているように、フロー電池は、多孔性電極１２に隣接して配置された第１の集電板２２、および多孔性電極１４に隣接して配置された第２の集電板２４を含む。多孔性電極は、液体電解質１７に関して導電性であり、液体電解質１９に関して触媒活性な材料で構成され、耐食性であることが好ましい。集電板は、導電性に優れ、かつフローセル内部の高酸性環境において化学的に安定した材料でできていることが好ましい。集電板は、電気スイッチ３４を介して、電源３０を通る回路（充電に関して）または電源負荷３２への回路（放電に関して）の何れかを完成させる導体２６および導体２８に結合されている。
【０００５】
図１におけるセパレータによって分離された正電極および負電極は、フローセル１１を形成している。フロー電池スタックは、概して、フロー電池の設計容量に応じて２つ以上のフローセルを含み、２つの隣接するフローセルが双極板によって分離されている。動作時、液体電解質１７および液体電解質１９は、フローセルのスタックに送達されて、電気エネルギーを化学エネルギーに変換するか、または化学エネルギーを、電源負荷への電気的接続を通して放電することが可能な電気エネルギーに変換する。
【０００６】
フロー電池には、各電解液が各セルの入口から出口まで多孔性電極を完全に通って流れるものもある。この種のフロー電池では、電解液の流れは、電極の多孔性材料の流れ抵抗のために圧力の低下が大きくなる場合がある。他のフロー電池では、液体電解質は、双極板の何れか一方の側に設けられた経路を通って流れ、隣接した電極内に拡散する。この種の設計により、流路を通って無制限に電解液が流れるため、圧力の低下が小さくなるが、電極への電解液の分散が不均一であるため、性能が比較的低い。
【０００７】
双極板に流れ場経路が設けられたいくつかのフロー電池は、流れ場の設計を変更することにより、電極内に比較的均一な電解液の分散を実現し、電極での電解液の濃度勾配を防止しようと試みることでこの問題に対処している。
【０００８】
例えば、この問題を解決するために、米国特許出願公開第２０１２０２４４３９５号明細書は、出口または入口が少なくとも部分的に塞がった、櫛歯が互いに噛み合う経路を有することにより、電解液が経路のリブの下を液体−多孔性電極を通って流れざるを得ないようにした流れ場について記載している。液体電解質の流れがリブの下の電極を通らざるを得ないようにすることにより、上述したようなフロー電池のいくつかのフロースルー構成におけるように、流れが電極を完全に通る場合よりも圧力の低下が軽減され、電解液の電極への露出を高めるという利益を有することが主張されている。
【０００９】
他の設計では、例えば、国際公開第２０１６／０７２２５４号パンフレットに記載されているように、成型プレートに形成されるかまたは切り込まれた溝が双極板に長手方向に設けられ、電解液供給経路および電解液放出経路を生成し、供給側と放出側との間の圧力の不均一により生じる極板フレームの変形を軽減し易くしている。双極板は、電解液の供給経路と放出経路との間に電解液誘導部をさらに含み、これにより、電解液の流れを電極に導く。電解液の供給経路および放出経路は、プラスチック保護板によって覆われており、電解液の流れを電極に導き易くしている。出願人は、電極への電解液の分散を向上し易くする電解液誘導部に溝が設けられていれば、性能の向上が実現されると述べている。この先行技術文献におけるセルの電極、例えば、正電極または負電極は、それぞれ１個で形成されるのではなく、少なくとも２つの部分に分割され、各部分は双極板の電解液誘導部に面している。電極部分は、電解液の供給経路および放出経路から一定の距離を置いて配置されて、電解液誘導領域を生成し、電解液の供給経路および放出経路を部分的にのみ覆うことができる。この先行技術文献で開示された設計は、いくつかの部品と、双極板に切り込まれるかまたは形成された電解液流通溝を覆うプラスチック保護板とを含む電極が必要であり、かつ電解液流通経路を妨害しないように、電極部品の適切な位置決めが必要な構成を伴っており、複雑である。
【００１０】
フロー電池全般に特徴的な別の問題は、フローセル内への電解液導入口が、スタックの１つのセルから次のセルへの漏電電流の導電路であることである。イオン伝導性の電解液に起因する、流体経路を流れるシャント電流の問題は、例えば、燃料電池では問題ではないが、フロー電池では対処する必要がある重要なことである。この問題は、セルへの流路およびセルからの流路に沿って実効抵抗を増加させ、セルからセルへの漏電電流を低減することにより解決可能である。抵抗の増加を実現する１つの方法は、電解液流路の長さの断面積に対する比率を増加させることであるが、これは、概して、電極を取り囲むフレーム内の電解液流路を長くすることにより行われた。電解液流路の長さの増加は、セルを流れるときの電解液の圧力低下を低減することにより、電解液のポンピングエネルギー損失を低減し、かつ各セルにおいて均一な流れの分散を実現する必要性と釣り合いの取れたものでなければならない。
【００１１】
組み立て中、フローセルのスタックは、２つのエンドプレート間に配置され、エンドプレートに加えられた圧縮力によって互いに接触した状態に保たれる。フロー電池スタックを組み立てるために必要な圧縮力は、例えば、燃料電池スタックを組み立てるために必要な圧縮よりも小さい。フロー電池では、スタックは、典型的には、プラスチック製フレームと、金属製またはプラスチック製エンドプレートとを有し、金属製ロッドおよびナットでスタックを一緒に保持する。プラスチックおよび金属の熱膨張係数は非常に異なるため、温度の変動に対して、所望される安定したスタック圧縮力を確保するためにクランプシステムにおいてバネが必要である。
【００１２】
現存のシステムに関連する既知の課題に鑑みて、簡単で効率的な構造の電極組立体およびセルスタック組立体を用いることにより、電極中のより良好な電解液の分散を可能にし、スタックに発生するシャント電流の危険性を減らすフロー電池が必要である。
【発明の概要】
【００１３】
本発明は、フロー電池のための電極組立体であって、多孔性電極材料と、多孔性電極材料を取り囲むフレームと、多孔性電極材料に埋め込まれた少なくとも分配管であって、多孔性電極材料に電解液を供給するための入口を有する分配管と、多孔性電極材料に埋め込まれた少なくとも別の分配管であって、多孔性電極材料から電解液を放出するための出口を有する別の分配管とを含む電極組立体について説明する。フレームおよび分配管は、電気的に非伝導性のプラスチック材料でできている。
【００１４】
本発明による電極組立体の好適な実施形態では、分配管が、フレームの第１の側とフレームの第２の側との間に、フレームの２つの側間の中間点を越えて延在している。
【００１５】
本発明の第１の実施形態では、多孔性電極材料に電解液を供給するための入口を有する分配管は、フレームに密閉された出口をそれぞれ有し、および多孔性電極材料から電解液を放出するための出口を有する分配管は、フレームに密閉された入口をそれぞれ有する。
【００１６】
分配管は、内部流路と、内部流路を取り囲む壁とを有する空管である。好適な実施形態では、空管の壁が、穴が設けられた固体材料でできており、電解液の流れが分配管の壁を通って多孔性電極材料中へ入ることを可能にする。あるいは、空管の壁は、多孔性材料でできており、電解液の流れが分配管の壁を通ることを可能にする。
【００１７】
本発明の第２の実施形態では、電極材料に電解液を供給するための入口を有する分配管は、多孔性電極材料に開放された出口をそれぞれ有し、および電極材料から電解液を放出するための出口を有する分配管は、多孔性電極材料に開放された入口をそれぞれ有する。このような実施形態では、分配管は、内部流路と、内部流路を取り囲む壁とを有する空管であり、空管の少なくとも１つの壁は、固体材料で作ることができる。このような実施形態では、空管の壁は、多孔性電極材料内の電解液のより良好な分散を可能にするために、多孔性材料または少なくとも１つの穴が設けられた固体材料で作ることも可能である。
【００１８】
本電極組立体のいくつかの実施形態では、分配管は、管壁の空孔率よりも空孔率が高い多孔性材料でできた内部流路を有する空管である。
【００１９】
概して、分配管は、円形の断面を有する。あるいは、本明細書に記載されているように、分配管は、三角形の断面を有する場合がある。
【００２０】
好適な実施形態では、分配管は、多孔性電極材料内に完全に埋め込まれている。しかし、他の実施形態では、分配管は、多孔性電極材料に部分的にのみ埋め込まれている。
【００２１】
本発明のいくつかの実施形態では、電極組立体の分配管は、Ｓ字曲線形状を有する空管とすることができ、および各分配管の壁は、多孔性電極材料内の電解液の分散を可能にするために、少なくとも１つの穴が設けられた固体材料または多孔性材料で作ることができる。
【００２２】
本明細書に記載されている電極組立体の実施形態は、電極材料の領域にわたって均一に分配されている複数の分配管を含むことができる。いくつかの実施形態では、電極組立体の分配管の少なくともいくつかは、同じ断面流量面積を有するか、または長さが等しい。
【００２３】
本電極組立体の分配管は、ポリエチレンもしくはポリプロピレン、またはポリテトラフルオロエチレン（ＰＴＦＥ）、ポリフッ化ビニリデン（ＰＶＤＦ）、エチレン酢酸ビニル（ＥＶＡ）、ＰＥ共重合体、ＵＨＭＷ  ＰＥ、熱可塑性ポリウレタン、ポリエーテルスルホン、ポリカーボネート、およびポリカーボネート合金など、フロー電池内の高酸性環境に適合した他の電気伝導性材料で作ることができる。
【００２４】
本発明は、上述した構造および特徴を有する負電極組立体および正電極組立体を含む、少なくとも１つのフローセルを含むフロー電池にも関連する。各フローセルは、正電極組立体と負電極組立体とを分離するセパレータと、第１の双極板および第２の双極板とをさらに含み、各双極板がそれぞれの電極組立体に隣接している。
【００２５】
さらに、本発明は、２つのエンドプレートが設けられた円筒状のプラスチック外殻に封入されたフローセルのスタックを含むフロー電池についても説明している。フローセルのスタックは、円筒状のプラスチック外殻の内壁に接続されており、それにより、円筒状のプラスチック外殻がフローセルを半径方向に圧縮し、かつ２つのエンドプレートがフローセルを軸方向に圧縮する。スタックの燃料電池は、双極板によって分離され、各フローセルは、セパレータによって分離された正電極組立体および負電極組立体を含み、および各電極組立体は、フレームによって取り囲まれた多孔性電極材料を含む。円筒状のプラスチック外殻および燃料電池のスタックを封入する２つのエンドプレートは、電気的に非伝導性の材料でできている。
【００２６】
好適な実施形態では、円筒状のプラスチック外殻の材料およびエンドプレートの材料が、フレームの材料と同じかまたはほぼ同じ熱膨張係数を有する。例えば、フレーム、円筒状のプラスチック外殻、およびエンドプレートの材料は、ポリエチレンまたはポリプロピレンとすることができる。
【００２７】
フローセルのスタックは、長方形の外部形状であって、その角が円筒状のプラスチック外殻の内部表面と接続している長方形の外部形状を有して、スタックと円筒状のプラスチック外殻との間に４つの区画を生成している。より具体的に言えば、スタックの角が封止材を通して円筒状のプラスチック外殻の内壁に接続されて、スタックと円筒状のプラスチック外殻との間に、４つの密閉された区画であって、それを通して正極電解液および負極電解液を流すための４つの密閉された区画を生成している。区画の２つは、それを通して正極電解液を流すためのものであり、および他の２つの区画は、それを通して負極電解液を流すためのものである。
【００２８】
いくつかの実施形態では、上述したように、フローセルを半径方向および軸方向にそれぞれ圧縮する２つのエンドプレートが設けられた、円筒状の外殻に封入されたフローセルのスタックは、本発明で説明されている構造を有する電極組立体を有するフローセルを含む。より具体的に言えば、電極組立体は、多孔性電極材料と、多孔性電極材料を取り囲むフレームと、多孔性電極材料に埋め込まれた少なくとも分配管であって、多孔性電極材料に電解液を供給するための入口を有する少なくとも分配管と、多孔性電極材料に埋め込まれた少なくとも別の分配管であって、多孔性電極材料から電解液を放出するための出口を有する少なくとも別の分配管とを含む。このような電極組立体は、本発明で説明されている特徴の何れかを有することができる。
【００２９】
本発明によるフロー電池のための電極組立体を製造する方法も記載されている。この方法は、
−  フレーム内に多孔性電極材料を配置するステップと、
−  多孔性電極材料を取り囲むフレームに設けられた穴を通してかつ多孔性電極材料中へ位置決め針を挿入するステップと、
−  多孔性電極材料内に位置決め針を挿入することにより、フレームに設けられた穴を通して、かつ多孔性電極材料に設けられた穴を通して分配管を摺動させて、それにより多孔性材料内にかつフレームに対して分配管を位置決めするステップと、
−  フレームの穴内に分配管を密閉するステップと
を含む。
【００３０】
別の実施形態では、フロー電池のための電極組立体を製造する方法は、
ａ．少なくとも１つの分配管を電極フレームに固定するステップと、
ｂ．分配管にわたり、電極フレームに隣接して多孔性電極材料を配置するステップと、
ｃ．電極フレーム、分配管、および多孔性電極材料を圧縮して、多孔性電極材料内に分配管を少なくとも部分的に埋め込むステップと
を含む。
【００３１】
すべての実施形態において、フロー電池の電極組立体が、入口または出口がそれぞれ閉鎖されなければならないいくつかの分配管を含むものである場合、電極組立体を製造する方法は、それらの分配管の端部を密閉して、その入口または出口を通って電解液が流れることを防ぐステップをさらに含む。
【００３２】
フロー電池スタックを製造する方法も記載されている。この方法は、
ａ．少なくとも１つの分配管を電極フレームに固定するステップと、
ｂ．分配管を有する電極フレーム、電極材料、セパレータ、別の電極材料、分配管を有する別の電極フレームを重ねて連続的に配置するステップと、
ｃ．スタック内のフローセルが所望の数に達するまでステップａ）およびｂ）を繰り返すステップと、
ｄ．ステップａ）〜ｃ）において形成された構成要素のスタックを圧縮して、多孔性電極材料内に分配管を少なくとも部分的に埋め込むステップと
を含む。
【００３３】
電極組立体が、入口または出口がそれぞれ閉鎖されなければならないいくつかの分配管を含む場合、フロー電池を製造する方法は、それらの分配管の端部を密閉して、その入口または出口を通って電解液が流れることを防ぐステップをさらに含む。
【００３４】
フロー電池であって、２つのエンドプレートが設けられた円筒状のプラスチック外殻に封入されたフローセルのスタックを含むフロー電池を作る方法も開示されている。この方法は、
ａ．円筒状のプラスチック外殻および２つのエンドプレートを設けるステップと、
ｂ．フローセルが円筒状のプラスチック外殻の内壁に接続され、および円筒状のプラスチック外殻がフローセルを半径方向に圧縮するように、円筒状のプラスチック外殻内にフローセルのスタックを配置するステップと、
ｃ．２つのエンドプレート間でフローセルのスタックを軸方向に圧縮するステップと
を含む。
【図面の簡単な説明】
【００３５】
図面は、本発明の特定の好適な実施形態を図示しているが、本発明の趣旨または範囲を限定するものとして決して見なされない。
【００３６】
【図１】図１は、従来のフロー電池の一例を図示する。
【図２Ａ】図２Ａは、本発明の好適な実施形態による電極組立体の概略図を示す。
【図２Ｂ】図２Ｂは、図２Ａに表された電極組立体の線Ａ−Ａに沿った断面を示す。
【図２Ｃ】図２Ｃは、図２Ａに表された電極組立体の長手方向の断面を図示する。
【図２Ｄ】図２Ｄは、本発明に記載の分配管の１つの、特に図２Ａ、図２Ｂ、および図２Ｃに表された実施形態に関する断面図を示す。
【図３】図３は、本発明の第２の実施形態による電極組立体の断面図を図示する。
【図４】図４は、本発明の別の実施形態による電極組立体の断面図を図示する。
【図５】図５は、本発明に記載の電極組立体を製造する１つの方法を図示する。
【図６Ａ】図６Ａは、本発明に記載の電極組立体で使用可能な三角形の断面を有する分配管の図を図示する。
【図６Ｂ】図６Ｂは、このような電極組立体を図示する。
【図６Ｃ】図６Ｃは、図６Ｂに図示したように、断面が三角形の分配管を使用する電極組立体を有するスタックの製造方法のステップを図示する。
【図６Ｄ】図６Ｄは、図６Ｂに図示したように、断面が三角形の分配管を使用する電極組立体を有するスタックの製造方法のステップを図示する。
【図７Ａ】図７Ａは、フロー電池内でフローセルのスタックを圧縮し、密閉するためのシステムおよび方法を図示する。
【図７Ｂ】図７Ｂは、フロー電池内でフローセルのスタックを圧縮し、密閉するためのシステムおよび方法を図示する。
【発明を実施するための形態】
【００３７】
特定の専門用語が本明細書で使用され、以下に提供される定義に従って解釈されることが意図される。加えて、「１つの（ａ）」および「含む」などの用語は、制限のないものとする。
【００３８】
本明細書において、量に関連して、「ほぼ」という用語は、プラス２０％までおよびマイナス２０％までの範囲であると解釈されるものとする。
【００３９】
「完全に埋め込まれた」という用語は、本明細書では、分配管の外側表面が電極材料によって取り囲まれるように、多孔性材料からなる電極内に配置された分配管を説明するために使用される。
【００４０】
「部分的に埋め込まれた」という用語は、本明細書では、分配管の外側表面の少なくとも一部分が電極材料によって取り囲まれていない、多孔性材料からなる電極内に配置された分配管を説明するために使用される。
【００４１】
図２Ａは、本発明の好適な実施形態による電極組立体の概略図を示す。電極組立体４０は、フレーム４４によって取り囲まれた多孔性電極材料４２を含み、分配管４６が多孔性電極材料４２内に埋め込まれている。この実施形態では、分配管４６は、電極組立体４０の線Ａ−Ａに沿った断面を表す図２Ｂにさらに図示されているように、多孔性電極材料に完全に埋め込まれている。
【００４２】
図２Ｃにさらに図示されているように、各分配管４６の両端部は、フレーム４４に設けられた穴４５内に位置している。数字４１で表示されたような分配管のいくつかは、電解液が貯槽から電極材料まで流れるように設計されている。一方、数字４３で表示されたような他の分配管は、電解液が電極材料から貯槽の方に戻って流れるように設計されている。分配管４１は、作動中の電池スタックにおいて、電解液供給の流れ５０Ａに流体接続された開放入口４１Ａと、密閉出口４１Ｂとを有する。分配管４３は、作動中の電池スタックにおいて、密閉入口４３Ａと、電解液槽への電解液放出の流れ５０Ｂに開放された出口４３Ｂとを有する。分配管の構造のために、作動中のフロー電池では、電解液は、矢印Ｄによって表示されるように、また、以下でさらに説明するように、管４１から電極材料を通って分配管４３まで流れることが可能である。
【００４３】
図２Ｄに図示されるように、分配管４６は、電解液が中を通って一方向Ｂに流れる内部流路５４を有する管状の形状を有し、壁５６が内部流路を取り囲んでいる。分配管の内部流路は、図２Ｄに図示されているような開放された流路とすることができ、または空孔率が高い材料、より具体的には電極材料よりも空孔率が高い材料を充填することができる。何れの場合にも、分配管の内部流路は、管に沿って低い差圧で管の全長に沿って優先的に電解液が流れることが可能でなければならない。分配管の壁５６は、図２Ｃおよび図２Ｄに図示されているように、複数の穴５８を含むことが可能であることで、図２Ｃおよび図２Ｄに矢印Ｄによって図示されているように、内部流路から電極材料までの電解液の流れが電極材料を通って電解液を分散させること、または図２Ｃに矢印Ｅによって図示されているように、電極材料から分配管の内部まで電解液を分散させることが可能になる。穴５８は、電解液の分散が電極材料を通って均一になるように、管の長さに沿って均一に分布させることが可能であり、または当業者であれば容易に理解するであろうように、穴の密集度は、より多いまたはより少ない電解液を必要とする電極材料の面積に応じて変わる場合がある。あるいは、分配管４６の壁５６は、細孔を有する多孔性のスリーブとすることができ、細孔は、内部流路に存在する差圧よりも大きい差圧下で電解液の流れがスリーブを通過することが可能な寸法を有する。
【００４４】
図２Ｃに図示されているように、分配管の端部は、フレーム４４の穴４５内に密閉され、電解液が、専用の経路を除き、分配管４１および４３を通って流れることを防ぐ。電解液は、矢印Ｄによって図示されているように、分配管４１の開放入口を通っておよび管の内部流路５４を通って流れ、穴５８を通って電極材料に分散され、分配管４１の近くの電極材料内に配置された分配管４３に達し、矢印Ｅによって図示されているように、管の壁に設けられた穴５８を通って分配管４３の内部流路に入る。分配管の端部間の差圧が小さいため、電解液は、分配管の出口４３Ｂへかつ電解液放出の流れ５０Ｂ中へ流れ、電解液槽に戻される。
【００４５】
当業者であれば、内部流路の分配管の寸法および分配管の壁の穴の寸法、すなわち、それぞれ内部流路を占める材料の空孔率および壁材の空孔率は、電解液の流れが小さい差圧で内部流路を通ることができるように、また、電解液の流れが電極材料中へ入ることができるように計算されることを認識するであろう。
【００４６】
図２Ａおよび図２Ｂでは、分配管は、電極材料の表面全体にわたって均一に分散し、電極組立体の全域にわたって広がっているように図示されている。概して、多孔性電極材料を通る電解液の均一な流れを実現するには、分配管間の頻度および間隔が等しいことが好適であるが、他のいくつかの実施形態では、分配管間の頻度および間隔は変わり得ることを理解されたい。一例として、電解液の分散が均一でない方が好適である場合、分配管は、電極材料の全域にわたって広がっていない。さらに、この実施形態の本説明図では、管はすべて同じ寸法（例えば、断面）を有するように表されている。他の実施形態では、分配管がそれぞれ異なる断面寸法を有することができ、またはいくつかの分配管が異なる断面寸法を有することができる。同様に、いくつかの分配管は、他のものよりも多数の穴または多孔性の高い壁材を有することができる。
【００４７】
図３は、本発明の第２の実施形態を図示する。この実施形態では、電極組立体１４０は、フレーム１４４によって取り囲まれた多孔性電極材料１４２と、図２Ｂに図示された分配管と同様の方法で電極材料に完全に埋め込まれた分配管１４６とを含む。本説明図を簡単にする目的で、図３では４つの分配管１４６のみが図示されている。当業者であれば、より多くの分配管を使用することが可能であること、分配管が電極材料の表面にわたって均一に分散され得ること、またはそれらの密集度および頻度が、所望される電解液の分散に応じて、電極組立体のある領域と他の領域とで異なり得ることを容易に理解するであろう。
【００４８】
図３では、電極組立体１４０は、フロー電池におけるような作動状態で図示されており、より具体的には、電解液供給および放出と流体連通して図示されている。図３に図示されているように、１つの分配管１４１は、電解液供給の流れ１５０Ａに開放された入口１４１Ａと、電極材料へ開放されかつ電解液放出の流れ１５０Ｂと連通しない出口１４１Ｂとを有する。隣接する分配管１４３は、電極材料に開放された入口１４３Ａと、電解液放出の流れ１５０Ｂに流体連通している出口１４３Ｂとを有する。前の実施形態と同様に、分配管１４６は、壁と内部流路とを有する。唯一の違いは、この第２の実施形態では、電解液が管状の壁を通って流れるようにする穴または細孔を分配管の壁に設けなくてもよいことである。矢印によって図示されているように、電解液は、電極材料内に位置する管の出口を通って出ると、電極材料を通って分散する。次に、電解液は、電極材料に開放された入口を有する隣接する管の１つに入り、電解液放出の流れに接続された管の端部を通って分配管から出る。この構成では、フレームの供給経路／放出経路が唯一のシャント長を提供している従来技術による解決策と比較して、電流シャント長は、電極組立体内のほとんどに提供されている。
【００４９】
他のいくつかの実施形態では、必要に応じて、分配管１４６には、好ましくは、電極材料内に開放された管の端部の方に向けて穴を設けるか、または空孔率が高い壁を設けることが可能である。
【００５０】
いくつかの実施形態では、電極フレームに接続された分配管１４６の端部は、穴１４５を通してフレームの外側に突出することができる。図３に図示されているように、分配管の長さは様々である場合がある。いくつかの管は等しい長さを有することができ（例えば、ｌ１＝ｌ２）、一方で他の管は異なる長さを有することができる（例えば、ｌ１は、ｌ３と異なりかつｌ４と異なることがある）。
【００５１】
図３に図示されている電極組立体は、中間線Ｃ−Ｃを有する。好適な実施形態では、分配管１４６は、電極材料を通して電解液をより良好に分散させるために中線を越えて延在する。
【００５２】
本開示のすべての実施形態において、電極組立体のフレームは、電極材料を通って分配管が貫通するように穴が設けられた射出成形フレームとすることができる。
【００５３】
図４は、本発明の別の実施形態を図示する。図４は、２つの分配管のみを図示しているが、当業者であれば、他の実施形態では、３つ以上の分配管を設けることが可能であることを容易に理解するであろう。分配管２４１は、電解液供給の流れ２５０Ａに接続された入口２４１Ａと、密閉出口２４１Ｂとを有するＳ字曲線形状であり、分配管２４３も、密閉入口２４３Ａと、電解液放出の流れ２５０Ｂに開放された出口２４３Ｂとを有するＳ字曲線形状である。この実施形態では、図２Ａおよび図２Ｂに関して説明したように、分配管には管の壁に穴または細孔が設けられており、また製造を容易にするために、管は、図６Ｃおよび図６Ｄと関連して、以下でさらに提示する方法により電極材料に部分的にのみ埋め込まれている。
【００５４】
図３に図示されている実施形態の代替的な実施形態では、電極材料に開放された入口または出口を有する分配管１４６は、図４に図示されているものに類似したＳ字曲線形状を有することも可能であろう。
【００５５】
本明細書に提示されるすべての実施形態において、分配管は、円形の断面形状を有する場合もあれば、任意の他の形状、例えば、図６Ａに図示されているような三角形状を有する場合もある。
【００５６】
図５は、本発明による、より具体的には、図２Ａ、図２Ｃおよび図３に図示されている実施形態による電極組立体を製造する方法を図示する。分配管４６は、位置決め針５３を使用して、フレーム４４に設けられた穴４５を通って多孔性電極材料４２に挿入されている。
【００５７】
この方法の第１のステップでは、電極材料４２がフレーム４４内に配置され、次に、位置決め針５３が、フレームの一方の側から穴４５を通してかつ電極材料を通してフレームの反対側の穴４５に達するまで挿入される。次のステップでは、分配管４６は、穴４５を通してかつ位置決め針の挿入によって電極材料内に設けられた穴を通して摺動される。針は、電極材料内およびフレームの穴に分配管を位置決めし易くする。次に、分配管がフレームの穴に対して漏れ止め溶接され、分配管のいくつかの入口／出口が、作動中のフロー電池の電解液との流体連通を防ぐために密閉される。
【００５８】
分配管は、例えば、ポリプロピレン（ＰＰ）またはポリエチレン（ＰＥ）で作ることができる。これらは低コストの材料であり、また、フレーム端部に容易に密閉することができ、これにより、製造プロセス全体のコストが低減する。
【００５９】
本発明による電極組立体および本発明による電極組立体を製造する方法の別の実施形態が図６Ａ、図６Ｂ、図６Ｃおよび図６Ｄに図示されている。図６Ａおよび図６Ｂに図示されている実施形態は、図２Ａおよび図２Ｃに図示されている実施形態に類似しているが、分配管３４６が三角形の断面を有し、ここでさらに説明するように、分配管が電極材料に部分的にのみ埋め込まれているという違いがある。分配管３４６には、図６Ａに詳細に図示されているように、また、示されていないが、図６Ｂ、図６Ｃおよび図６Ｄの分配管３４１および３４３についてさらに示唆されているように、好ましくは分配管の全長に沿って穴３５８が設けられている。いくつかの分配管３４１は、電極フレーム３４４に設けられた電解液入口経路３５１Ａ（およびそれぞれ作動中のフロー電池の電解液供給経路３５０Ａ）と流体連通している入口３４１Ａと、密閉された出口３４１Ｂとを有し、また一方で、他の分配管３４３は、密閉された入口３４３Ａと、電極フレーム３４４に設けられた電解液放出経路３５１Ｂ（およびそれぞれ作動中のフロー電池の電解液放出経路３５０Ｂ）と流体連通している出口３４３Ｂとを有する。電解液は、電解液供給経路３５０Ａを通って電極組立体に供給される。電解液供給経路は、フロー電池内で電解液貯槽に流体接続され、電解液は、電極組立体から放出され、電解液放出経路３５０Ｂを通って電解液貯槽に戻される。
【００６０】
図６Ｂの実施形態の製造方法が図６Ｃおよび図６Ｄに図示されている。分配管３４６は、図６Ｂに図示されているように、最初にフレーム３４４に接続され、次にスタックの構成要素が平坦面上に互いに上下に重ねて配置されることで、接続された分配管およびフレームからなる各組立体が電極材料３４２の次に位置するように、電極材料３４２がセパレータ３５９によって分離され、分配管３４６を担持しているフレーム３４４が、それぞれ双極板３６０により、分配管を有する次のフレームから分離される。このように形成された圧縮されていないスタック３７０が図６Ｃに図示されている。
【００６１】
この次のステップは、図６Ｄに図示されているように、分配管３４６が上から下まで電極材料３４２に押し込まれ、スタック構成要素間で良好な接続が確保されるようにスタック３７０を圧縮するステップを伴う。
【００６２】
図６Ｄに示されているように、圧縮されたスタックのこの実施形態では、分配管は、電極材料に部分的にのみ埋め込まれていることにより、参照番号３８０によって表示された分配管の表面が双極板に接している状態であり、かつ電極材料によって取り囲まれない。
【００６３】
図６Ｃおよび図６Ｄに図示されている製造方法は、特に図４に図示されている実施形態のように、本明細書に記載された従来の製造方法を用いて組み立てることがより困難である、Ｓ字曲線形状の分配管を含む実施形態に推奨される。
【００６４】
図７Ａおよび図７Ｂは、フロー電池のフローセルのスタックを圧縮し、密閉するためのシステムおよび方法を図示する。電池は、例えば、本発明の実施形態で説明されている構造を有する電極組立体を有するフローセルを含むことができる。システムは、スタック９２を封入する円筒状のプラスチック外殻９０を用い、かつ２つのエンドプレート９１、および９５が設けられ、円筒状のプラスチック外殻およびエンドプレートは、フローセルをスタック内に一緒に保持する一方、すべてのスタック構成要素を密閉している。円筒状のプラスチック外殻はスタックを半径方向に圧縮し、一方、エンドプレートはスタックを軸方向に圧縮している。円筒状のプラスチック外殻９０は、円形の内部断面を有するように図示されているが、当業者であれば、円筒状のプラスチック外殻の内部表面がスタックの角または端部と接触する限り、このような内部断面の修正がなされ得ることを容易に理解するであろう。同様に、フローセルのスタックが、ここでは正方形状を有するように図示されていても、他のスタックは、異なる形状（例えば、長方形）を有する場合がある。
【００６５】
スタックの４つの角は、円筒状外殻９０の内部表面に対して封止材９３で密閉されて、スタックと円筒状のプラスチック外殻の内部表面との間に４つの密閉された区画９５Ａ、９５Ｂ、９５Ｃおよび９５Ｄを生成している。区画９５Ａおよび９５Ｂは、例えば、正極電解液供給区画および放出区画をそれぞれ表し、区画９５Ｃおよび９５Ｄは、負極電解液供給区画および放出区画をそれぞれ表す。この圧縮システムは、本発明で説明されているような構造を有する電極を含むフローセルのスタックでより良好に機能するが、従来技術で既知の構造を有するフローセルのスタックとともに使用することも可能であろう。この圧縮システムは、特に、本明細書に記載の実施形態で図示されているように、セル入口／出口のシャント長が電極材料内の分配管によって生成された、このようなセルのシャント長を電極フレームの外周内に収める必要がない、電極組立体を有するフローセルに適合している。
【００６６】
本圧縮システムのプラスチック円筒状外殻９０ならびにエンドプレート９１および９５の材料は、電極フレーム９４の材料と同じかまたはほぼ同じ熱膨張係数を有する。熱膨張係数がフレームと同じかまたはほぼ同じであるため、円筒状のプラスチック外殻は、様々な動作温度においてスタックの角で良好な封止を提供し、また、円筒状のプラスチック外殻およびエンドプレートが何れもフレームと同じかまたはほぼ同じである熱膨張係数を有するため、従来技術では、フロー電池スタックの圧縮を維持しながら様々な熱膨張係数を補償するために通常使用されるタイロッドおよびスプリングを使用する必要がない。本圧縮システムでは、フローセルの圧縮は、例えば、−４０度〜７０度で変動し得るスタックの典型的な貯蔵温度および動作温度を通じて一定のままである。
【００６７】
本圧縮システムの別の利点は、円筒状のプラスチック外殻とスタックのフレームとの間に形成された４つの密閉された区画が、スタックのフレーム間、またはフレームとフローセルの他の構成要素（例えば、セパレータ、双極板、電極材料）との間のあらゆる内部の漏れを封じ込め得ることである。
【００６８】
上述した圧縮システムは、スタックのフローセルに作用する圧縮力が、例えば、燃料電池よりもはるかに小さいことが概して必要なフロー電池スタックに使用することができる。
【００６９】
スタックを圧縮および密閉する方法が図７Ｂに図示されており、この図は、スタック９２が円筒状のプラスチック外殻９０内を摺動する様子、およびこのように形成された組立体が次にエンドプレート９１および９５間に配置され、１つに組み立てられる様子を示している。
【００７０】
本発明の分配管は、電解液化学に適合した任意の非伝導性材料で作ることができる。例えば、バナジウムフロー電池について、分配管は、低コストの材料であり、フレームの端部に容易に密閉することが可能なポリプロピレン（ＰＰ）またはポリエチレン（ＰＥ）で作ることができる。分配管の他の材料は、ポリテトラフルオロエチレン（ＰＴＦＥ）、ポリフッ化ビニリデン（ＰＶＤＦ）、エチレン酢酸ビニル（ＥＶＡ）、ＰＥ共重合体、ＵＨＭＷ  ＰＥ、熱可塑性ポリウレタン、ポリエーテルスルホン、ポリカーボネート、およびポリカーボネート合金とすることができるが、これらはごく一例である。本出願に使用し得る市販の管の例としては、Ｐｏｒｅｘ（登録商標）またはＰａｒｋｅｒ  ＴｅｘＬｏｃ（登録商標）によって製造されたものなど、医療用または産業用濾過システムに使用されるプラスチック製の多孔性の管である。
【００７１】
本明細書で提示されるすべての実施形態において、電極材料は、多孔性であるが、その容積全体にわたって均一な空孔率を有する場合もあれば、電極材料の空孔率は、特定の領域の電気化学反応を促進するために、他よりも高い空孔率を有する電極材料のそれらの領域に伴って変わる場合もある。
【００７２】
本明細書で説明した実施形態において、分配管は、図２Ａおよび図２Ｂに最も良く図示されているように、分配管が電極材料によって完全に取り囲まれていることを意味すると解釈される、「電極材料内に完全に埋め込まれている」か、または図６Ｂおよび図６Ｃに最も良く図示されているように、管の表面の少なくとも一部分が電極材料によって取り囲まれておらず、例えば、組み立てられたスタック内で双極板に露出されているが、電極材料には露出されていないことを意味すると解釈される、「電極材料内に部分的に埋め込まれている」場合があるかの何れかである。
【００７３】
本開示全体を通して、電極フレームは、角が直線状の長方形状を有するように図示されている。当業者であれば、他の実施形態では、電極フレームが他の形状、例えば、丸みのある角等を有する長方形状を有し得ることを容易に理解するであろう。いくつかの図において、電極材料（例えば、４２、１４２、２４２）は、多孔性材料であるように図示されていないが、当業者であれば、これは、図面を単純化する目的で行われたものであり、すべての図において、多孔性電極材料が図６Ｄの電極材料３４２として図示されていることが暗に示されていることを理解するであろう。
【００７４】
本明細書で説明したすべての実施形態において、電池スタックのフローセルの負電極組立体と正電極組立体とを分離するセパレータは、微多孔性セパレータまたはイオン交換膜の何れかとすることができる。
【００７５】
本明細書で説明したすべての実施形態において、電極を分離する双極板には、電極材料に完全に埋め込まれた分配管または電極材料に部分的に埋め込まれた分配管を通して電解液の循環が実現されるため、いくつかの先行技術文献に記載されているように、フロー電解液を循環、誘導、または調整するためのフレームおよび／または機能が提供されていない。本発明において図示されている双極板は、導電性であるが、分配管および／または電極を分離する役割のみを有する。
【００７６】
本発明によるフロー電池の一例は、酸化状態が異なるバナジウムイオンを用いて、化学ポテンシャルエネルギーを貯蔵する充電式フロー電池であるバナジウムフロー電池である。
【００７７】
本発明の利点は、本明細書で説明した構造を有する電極組立体が、少ない圧力の低下で電極材料を通して電解液の分散の改善をもたらし、延長されたシャント長に対応するためのフレーム面積または材料を追加する必要なしに、シャント電流の制御を提供することである。本電極組立体は、製造が容易であり、電解液の分散経路に対してある程度の高い公差で電極を配置し、および／または取り付けすることを必要とせず、従来技術のように、双極板をプラスチック製のセルフレームに永続的に取り付けたり、ボンディングしたりすることを必要とせず、むしろ大量生産に適した低コストの材料および生産技術を使用する。さらに、本発明で開示されている設計では、電極材料内の分配管の配置および設計により、電解液の流量および反応速度が増加する場合があり、また、電極特性（空孔率、電解液の分散等）を変更して、従来技術において既知の解決策よりも高いエネルギー効率および高い電流密度を実現することができる。
【００７８】
本発明の特定の要素、実施形態、および用途が示されかつ説明されてきたが、当然のことながら、本開示の趣旨および範囲から逸脱することなく、特に前述の教示を踏まえて、当業者により修正形態がなされ得るため、本発明はそれらに限定されないことが理解されるであろう。そのような修正形態は、本明細書に添付される特許請求の範囲の権限および範囲内にあると見なされるものとする。
【図１】
2018538666.tif 000003
【図２Ａ】
2018538666.tif 000004
【図２Ｂ】
2018538666.tif 000005
【図２Ｃ】
2018538666.tif 000006
【図２Ｄ】
2018538666.tif 000007
【図３】
2018538666.tif 000008
【図４】
2018538666.tif 000009
【図５】
2018538666.tif 000010
【図６Ａ】
2018538666.tif 000011
【図６Ｂ】
2018538666.tif 000012
【図６Ｃ】
2018538666.tif 000013
【図６Ｄ】
2018538666.tif 000014
【図７Ａ】
2018538666.tif 000015
【図７Ｂ】
2018538666.tif 000016
【国際調査報告】
2018538666.tif 000017
2018538666.tif 000018
2018538666.tif 000019